(57)【特許請求の範囲】
【請求項１】
キャビネット本体の開口端部に固定して前方に突き出すロック爪と、扉の裏面側に装着して前記ロック爪に係脱する上下スライド式のロックバーと、扉前面に設けた錠付きハンドルと、該ハンドルに連結して前記ロックバーとインターロックさせた操作カムとからなり、扉を閉じた状態でキーおよびハンドルの回動操作により扉をロック，釈放する自動販売機の扉ロック装置において、前記ハンドルの操作により回動する操作カムと連動してロックバーに係脱する補助ロック機構を設けたことを特徴とする自動販売機の扉ロック装置。
【請求項２】
請求項１記載の扉ロック装置において、補助ロック機構が、ロックバーに開口した係合穴に側方から出入して係脱する補助ロックスライダと、該補助ロックスライダとハンドルの操作により回動する操作カムとの間を連繋するリンクとからなることを特徴とする自動販売機の扉ロック装置。
【請求項３】
請求項１記載の扉ロック装置において、補助ロック機構が、一端をハンドルの操作により回動する操作カムに連結し、他端がロックバーに開口した係合穴に側方から出入して係脱する揺動式の補助ロックバーからなることを特徴とする自動販売機の扉ロック装置。
【発明の詳細な説明】
【０００１】
【発明の属する技術分野】
本発明は自動販売機の扉ロック装置に関する。
【０００２】
【従来の技術】
周知のように、自動販売機にはキャビネット本体の外扉に扉ロック装置を装備し、通常時には扉が閉位置から開かないように鎖錠している。
図６は缶飲料の自動販売機の正面図である。図において、１はキャビネット本体の前面に配備した外扉、２は販売商品の見本３を陳列したディスプレイ室、４は貨幣処理機構（コインメック，ビルバリデータ）などを装備した操作パネル、５は商品取出口であり、操作パネル４には錠付きの扉ロック装置６が組付けられている。
【０００３】
次に、従来の自動販売機に装備した扉ロック装置の構造，およびその動作を図７，図８で説明する。すなわち、扉ロック装置６は、キャビネット本体７の開口端部に固定して前方に突き出すフック状のロック爪８と、外扉２の背面側に装着して前記ロック片８に係脱するように上下方向へスライド可能に案内支持されたＵチャンネル形のロックバー９と、扉前面に設けた錠（シリンダ錠）付きのハンドル１０と、該ハンドル１０の軸１０ａに連結して前記ロックバー９にインターロックさせた操作カム１１とからなる。なお、ロックバー９には角穴９ａ，９ｂを開口して前記ロック爪８，および操作カム１１に係合するようにしている。
【０００４】
かかる構成で、外扉１を閉じてハンドル１０をロック位置に施錠した扉ロック状態では、図７（ａ），（ｂ）  で示すようにロックバー９が下降し、その角穴９ａがロック爪８に係合して外扉１が開かないようにロックし、かつ操作カム１１がロックバー９をこの位置から上方にスライドしないように拘束している。
この状態から外扉１を開くには、まずハンドル１０のシリンダ錠をキー操作により解錠した上で、ハンドル１０を手動操作で時計方向に回すと、図８（ａ），（ｂ）  で表すように操作カム１１がロックバー９を上方に引き上げる。これによりロック爪８とロックバー９との係合が外れて外扉１を自由に開くことができるようになる。
【０００５】
ところで、前記構造の扉ロック装置は、ロックバー９を操作カム１１のみでロック位置に鎖錠しているだけであって防盗性が低く、キャビネット本体７と外扉１との間からバールなどを差し込んでロックバー９を無理やり突き上げるように外力を加えると、操作カム１１を介してハンドル１０の軸部１０ａに大きな捩じり応力が加わって比較的簡単に破壊されるおそれがある。
【０００６】
そこで、自動販売機の防盗性を高めるために、前記の錠付きハンドル１０と別に補助シリンダ錠を取付けてロックバー９を二重にロックするようにした扉ロック装置が特開平８−１１０９７７号公報などで公知である。
この二重ロック方式では、図示のように外扉１に補助シリンダ錠１２，およびシリンダ錠１２の後端に結合した操作レバー１２ａと連動する補助ロックスライダ１３を追加装備し、補助シリンダ錠１２のキー操作により補助ロックスライダ１３をロックバー９に開口した角穴９ｃに係脱させるようにしている。かかる構成により、錠付きハンドル１０の操作で外扉１を閉位置にロックした状態で補助シリンダ錠１２をロック位置に施錠すると、図７で示すように補助ロックスライダ１３がロックバー９の角穴９ｃに進入してロックバー９をロック位置に係止し、前記の操作レバー１１と併せて外扉１を二重にロックする。これにより、ロックバー９は操作カム１１およびスライダ１３により二重にロックされているのでそれだけ破壊行為に対する強度が増して防盗性が向上する。なお、外扉１を開く際には、ハンドル１０の解錠に先立って補助シリンダ錠１２を解錠し、図８で示すように補助ロックスライダ１３とロックバー９との係合を釈放し、続いてハンドル１０の解錠，操作によりロックバー９とロック爪８との係合を外して扉を開く。
【０００７】
【発明が解決しようとする課題】
ところで、前記した二重ロック方式の扉ロック装置は、高い防盗性が確保できるものの、シリンダ錠が２個必要でコストアップとなるほか、操作面でも二重のキー操作による施錠，解錠を要するためにキーの管理，操作が面倒であるほか、補助シリンダ錠を掛け忘れる操作ミスも起こり易い。
【０００８】
本発明は上記の点に鑑みなされたものであり、その目的は補助シリンダ錠を使わずに、錠付きハンドルの操作だけで自動的に二重ロックできるようにして防盗性の強化，並びに操作性の改善を図った自動販売機の扉ロック装置を提供することにある。
【０００９】
【課題を解決するための手段】
上記目的を達成するために、本発明によれば、キャビネット本体の開口端部に固定して前方に突き出すロック爪と、扉の裏面側に装着して前記ロック爪に係脱する上下スライド式のロックバーと、扉前面に設けた錠付きハンドルと、該ハンドルに連結して前記ロックバーとインターロックさせた操作カムとからなり、扉を閉じた状態でキーおよびハンドルの回動操作により扉をロック，釈放する自動販売機の扉ロック装置において、前記ハンドルの操作により回動する操作カムと連動してロックバーに係脱する補助ロック機構を設ける（請求項１）ものとし、その補助ロック機構は具体的に次記のような態様で構成することができる。
【００１０】
（１）補助ロック機構を、ロックバーに開口した係合穴に側方から出入して係脱する補助ロックスライダと、該補助ロックスライダとハンドルの操作により回動する操作カムとの間を連繋するリンクとから構成する（請求項２）。
（２）補助ロック機構を、一端をハンドルの操作により回動する操作カムに連結し、他端がロックバーに開口した係合穴に側方から出入して係脱する揺動式の補助ロックバーで構成する（請求項３）。
【００１１】
上記のようにロックバーに補助ロック機構を設け、かつ該補助ロック機構をハンドルの操作により回動する操作カムと連動するように連繋させたことにより、補助錠を併設した従来の二重ロック方式と同等な高い防盗性を確保しつつ、操作面では独立した補助錠を使わずに錠付きハンドルを回動操作するだけで、補助ロック機構を同時にロック，釈放させることができ、これにより補助ロックの掛け忘れミスも防げる。
【００１２】
【発明の実施の形態】
以下、本発明の実施の形態を図１〜図３、および図４，図５に示す実施例に基づいて説明する。なお、各実施例の図中で図７，図８に対応する部材には同じ符号を付してその説明は省略する。
〔実施例１〕
まず、本発明の請求項２に対応した実施例の構造，動作を図１〜図３で説明する。この実施例においては、図７と同様にロック爪８に係脱するロックバー９に対して操作カム１１，および補助ロックスライダ１３が設けてあるが、この補助ロックスライダ１３は図７のように独立した補助シリンダ錠を使わずに、操作カム１１と補助ロックスライダ１３との間が中間支持台１５ａに軸支した揺動式のリンク１５を介して連繋されている。なお、図示例は図７の補助シリンダ錠１２に代えてダミー錠１６（補助シリンダ錠を模擬した盲蓋）が取付けてある。
【００１３】
かかる構成において、錠付きハンドル１０をキーによる施錠，解錠と併せて手動で操作すると、操作カム１１が回動してロックバー９をロック，釈放位置にスライドさせるとともに、操作カム１１の動きに連動して補助ロックスライダ１３がロックバー９の角穴９ｃに側方から出入して係脱する。ここで、図１に示した扉ロック状態では、補助ロックスライダ１３がロックバー９の角穴９ｃに側方から進入してロックバー９をこの位置に係止している。これにより、ロックバー９は上下２箇所で操作カム１１および補助ロックスライダ１３により二重にロックされ、これにより図７で補助シリンダ錠１２を施した状態と同等な高い防盗性が確保できる。
【００１４】
一方、外扉１を開くには、扉ロックを解錠した上でハンドル１０を時計方向に回すと、図２に示すように操作カム１１に従動してリンク１５が支持台１５ａを支点に反時計方向に揺動し、補助ロックスライダ１３を釈放位置に後退させてロックバー９の角穴９ｃから引き抜く。さらにハンドル１０を回すと操作カム１１がロックバー９の角穴９ｂの上縁に当たって図３のようにロックバー９を上方に引き上げる。この結果、ロック爪８とロックバー９との係合が解除され、外扉１を自由に開くことができるようになる。なお、外扉１を閉じてハンドル１０をロック位置に回すと、前記と逆にロックバー９が下降してロック爪８に係合した後に、補助ロックスライダ１３が角穴９ｃに進入してロックバー９をこの位置に係止する。そして、この状態でハンドル１０を施錠すれば外扉１が閉位置にロックされる。
【００１５】
〔実施例２〕
次に、本発明の請求項３に対応した応用実施例を図４，図５に示す。この実施例は先記実施例１における補助ロックスライダ１３とリンク１５を一体化したものであり、補助ロック機構として操作カム１１にＬ字形の補助ロックレバー１７が連結されている。この補助ロックレバー１７はその中間部を支持台１７ａに軸支して一端を操作カム１１に連結し、先端をロックバー９に開口した角穴９ｃに直接対峙させて側方から角穴へ出入するようにしている。
【００１６】
かかる構成により、図４に示す扉ロック状態では、補助ロックレバー１７の先端がロックバー９の角穴９ｃに入り込んでロックバーをこの位置に係止しており、これにより先記の実施例１と同様にロックバー９が二重にロックされる。一方、外扉１を開くためにハンドル１０を解錠して時計方向に回すと、図５で示すように操作カム１１の動きに従動して補助ロックレバー１７が支持台１７ａを支点に反時計方向に揺動し、操作カム１１が角穴９ｂの上縁に当たる前にロックバー９の角穴９ｃから抜け出す。続いてハンドル操作により操作カム１１がロックバー９を上方に押し上げると、ロック爪８との係合が外れて外扉１が自由に開けられるようになる。
【００１７】
【発明の効果】
以上述べたように、本発明の構成によれば、錠付きハンドルの操作により回動する操作カムと連動してロックバーに係脱する補助ロック機構を設けたことにより、扉ロックに独立した補助シリンダ錠を組合せた従来の二重ロック方式と同等な高い防盗性を確保しつつ、しかも従来方式と比べて補助シリンダ錠を削除した分だけコストが安く、かつ操作性も向上する。
【図面の簡単な説明】
【図１】本発明の実施例１に係る扉ロック装置の構造，および扉ロックの状態を表す図で、（ａ），（ｂ）  はそれぞれ側面図，および背面図
【図２】実施例１の扉ロック釈放途中の状態図であり、（ａ），（ｂ）  はそれぞれ側面図，および背面図
【図３】実施例１の扉ロック釈放状態図であり、（ａ），（ｂ）  はそれぞれ側面図，および背面図
【図４】本発明の実施例２に係る扉ロック装置の構造，および扉ロックの状態を表す図で、（ａ），（ｂ）  はそれぞれ側面図，および背面図
【図５】実施例２の扉ロック釈放状態を表す図で、（ａ），（ｂ）  はそれぞれ側面図，および背面図
【図６】自動販売機の正面図
【図７】従来における二重ロック方式の扉ロック装置の構造，および扉ロックの状態を表す図で、（ａ），（ｂ）  はそれぞれ側面図，および背面図
【図８】図７の扉ロック釈放状態を表す図で、（ａ），（ｂ）  はそれぞれ側面図，および背面図
【符号の説明】
１    外扉
７    キャビネット本体
８    ロック爪
９    ロックバー
９ａ〜９ｃ  角穴
１０    錠付きハンドル
１１    操作カム
１３    補助ロックスライダ
１５    リンク
１７    補助ロックレバー
【図１】
0003633451.tif 000002
【図２】
0003633451.tif 000003
【図３】
0003633451.tif 000004
【図４】
0003633451.tif 000005
【図５】
0003633451.tif 000006
【図６】
0003633451.tif 000007
【図７】
0003633451.tif 000008
【図８】
0003633451.tif 000009